(57)【要約】【課題】欠字を含む文字情報を記憶する際のデータ量を削減する。【解決手段】文字コードデータ及び欠字イメージデータを含む複数の文字情報に、予め表記項目単位で優先順位を設定し、欠字イメージデータを、設定された優先順位に対応する順序で記憶手段に記憶させる。文字情報をカード面に印刷する際には、優先順位に基づいて、文字情報に含まれる欠字の位置に、欠字イメージデータを順に挿入する。【選択図】図９
2006119977.tif 000002
【特許請求の範囲】
【請求項１】
文字コードデータ及び欠字イメージデータを含む複数の文字情報を表記項目別にカード面に印刷するようにしたＩＤカード作成システムにおいて、
前記複数の文字情報を記憶する記憶手段と、
前記複数の文字情報に前記表記項目単位で優先順位を設定し、前記欠字イメージデータを前記設定された優先順位に対応する順序で前記記憶手段に記憶させる制御手段と、
を備えたことを特徴とするＩＤカード作成システム。
【発明の詳細な説明】
【技術分野】
【０００１】
本発明は、社員証や各種キャッシュカード等のＩＤカードを作成するＩＤカード作成システムに関する。
【背景技術】
【０００２】
近時、各種ＩＤカードを作成するシステムにおいては、通信技術の発達に伴い、各種装置をインターネット等のネットワークに接続することにより、同一フロア内或いは遠隔地間においてシステムが形成されている。例えば、ＩＤカード作成システムは、申請者の個人情報等を登録する登録装置、ＩＤカードに印刷される顔画像を撮影する撮影装置、ＩＤカードを発行するＩＤカード作成装置、これら各装置を統合的に管理するホストコンピュータ等の複数の装置がネットワークを介して接続されることにより構成されている。
【０００３】
ＩＤカードには、顔写真や、文字情報（住所、氏名及び所属等）が紙やプラスチック製カードのカード面に直接印刷される。また、ＥＥＰＲＯＭ等から構成される不揮発性のデータメモリ、及びこれらを制御するＣＰＵを有するＩＣチップが内蔵されたＩＣカードを利用した場合には、ＩＤカードに内蔵されるデータメモリ（以下、「カード内蔵メモリ」と省略する。）にデジタルデータ化した顔写真や文字情報が記録される。
【０００４】
文字情報にコード化されていない特殊文字である欠字が含まれている場合には、スキャナ等で欠字のイメージデータを取得し、欠字の位置に欠字イメージデータを挿入してカード面に印刷を行う。各欠字イメージデータを文字情報のどの位置に挿入するかを示すために、例えば、欠字イメージデータを、欠字イメージデータが挿入される文字情報の項目情報（住所や氏名等）とその項目内における欠字の位置を示す位置情報と共に記憶する技術が開示されている（特許文献１参照。）。
【特許文献１】特開平７−１７１０３号公報
【発明の開示】
【発明が解決しようとする課題】
【０００５】
しかし、欠字イメージデータに加えて、欠字が含まれる項目情報及び位置情報を記憶するので、データ量が多かった。特に、これらの情報をカード内蔵メモリに記憶させる場合には、記憶容量が限られているため、なるべくデータ量を少なくしたいという要望が大きかった。
【０００６】
本発明は上記の従来技術における問題に鑑みてなされたものであって、欠字を含む文字情報を記憶する際のデータ量を削減することができるＩＤカード作成システムを提供することを課題とする。
【課題を解決するための手段】
【０００７】
請求項１に記載の発明は、文字コードデータ及び欠字イメージデータを含む複数の文字情報を表記項目別にカード面に印刷するようにしたＩＤカード作成システムにおいて、前記複数の文字情報を記憶する記憶手段と、前記複数の文字情報に前記表記項目単位で優先順位を設定し、前記欠字イメージデータを前記設定された優先順位に対応する順序で前記記憶手段に記憶させる制御手段と、を備えたことを特徴とする。
【発明の効果】
【０００８】
請求項１に記載の発明によれば、複数の文字情報に表記項目単位で優先順位を設定し、欠字イメージデータを、設定された優先順位に対応する順序で記憶手段に記憶させるので、欠字を含む文字情報を記憶する際のデータ量を削減することができる。したがって、ＩＤカード作成システムにおける処理速度が上がり、効率良くＩＤカードを作成することができる。
【発明を実施するための最良の形態】
【０００９】
以下、図を参照して本発明の実施の形態を詳細に説明する。ただし、発明の範囲は、図示例に限定されない。なお、本実施の形態においては、主に、会社等の団体に所属する社員のＩＤカード（在職（社員）証明カード等）を作成する場合を想定してＩＤカード作成システム１００の説明を行うが、それに限らず、所定資格を管理・統括する団体が有するものであってもよい。また、ＩＤカードはＩＣチップを内蔵したＩＣカードにより構成される場合を例として以下説明を行う。
【００１０】
まず、本実施の形態の構成を説明する。
図１に、本発明を適用したＩＤカード作成システム１００のシステム構成を示す。図１に示すように、ＩＤカード作成システム１００は、ホスト１、登録装置２、撮影装置３、ＩＤカード作成装置４等を備えて構成されている。
【００１１】
ネットワークＮは、ホスト１、登録装置２、撮影装置３、ＩＤカード作成装置４の間で情報や資源を共有するための、限られたエリア内におけるネットワークである。ネットワークＮには、例えば、送受信されるデータの解析、伝送経路の設定、及び転送を行うルータ等の中継装置の他、所定数のポートを備えるハブ等の集線装置が含まれる。また、ネットワークＮは、情報管理の信頼性の観点から、特定のユーザのみアクセス可能なセキュリティを確保しているネットワークであることが望ましい。
【００１２】
ホスト１は、パーソナルコンピュータ等から構成され、登録装置２、撮影装置３、ＩＤカード作成装置４を、ネットワークＮを介して一元的に管理するコンピュータである。また、ホスト１は、データベース（以下、「ＤＢ」と省略する。）１ａを備え、ＤＢ１ａは、社員個人に関するＩＤ番号、文字情報（例えば、住所、氏名、所属等）及び顔画像データ等を格納し、一括して管理している。なお、ＤＢ１ａは、文字情報に個人に特有の欠字が含まれる場合には、欠字のイメージデータを格納している。
【００１３】
以下に、図２を参照して、ホスト１について詳細に説明する。図２に、ホスト１の要部構成を示す。図２に示すように、ホスト１は、ＣＰＵ１１、表示部１２、入力部１３、通信部１４、ＲＡＭ１５、記憶部１６等を備えて構成される。
【００１４】
ＣＰＵ（Central Processing Unit）１１は、記憶部１６に記憶されている各種プログラムの中から指定されたプログラムを、ＲＡＭ１５内の図示しないワークエリアに展開し、入力部１３、及び通信部１４から入力されるデータに応じて、プログラムに従った各種処理を実行し、処理結果をＲＡＭ１５内のワークメモリに格納する。また、処理結果を表示するための表示情報を生成して表示部１２へ出力する。
【００１５】
具体的に、ＣＰＵ１１は、登録装置２から入力されたＩＤ番号及び文字情報を受信してＤＢ１ａに格納すると共に、撮影装置３からの要求に応じてＤＢ１ａに格納された文字情報を検索して、送信する（図６参照）。なお、処理の詳細は後述する。
【００１６】
表示部１２は、ＣＲＴ（Cathode Ray Tube）やＬＣＤ（Liquid Crystal Display）等によってなる表示画面を備え、ＣＰＵ１１から入力される表示信号の指示に従って入力部１３、通信部１４を介して送受信される表示データを画面上に表示する。
【００１７】
入力部１３は、文字キー、数字キー、及び各種機能キーを備えたキーボードを含み、このキーボードで押下されたキーに対応する押下信号をＣＰＵ１１に出力する。また、入力部１３は、必要に応じてマウス、タッチパネル等のポインティングデバイスや、その他の入力装置を備えるものとしてもよい。
【００１８】
通信部１４は、ＬＡＮ、ＷＡＮ等のネットワークに接続された伝送媒体に接続可能なインターフェイスである。通信部１４は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００１９】
ＲＡＭ（Random Access Memory）１５は、ＣＰＵ１１によって実行される各種プログラムやこれら各種プログラムによって処理されたデータ等を一時的に記憶するワークエリアを形成する。
【００２０】
記憶部１６は、プログラムやデータ等が予め記憶されている記録媒体（図示せず）を有しており、この記録媒体は磁気的、光学的記録媒体、若しくは半導体メモリで構成されている。記憶部１６には、システムプログラム、当該システムに対応する各種処理プログラム、及び各種処理プログラムで処理されたデータ等が記憶される。
【００２１】
登録装置２は、例えばパーソナルコンピュータ等から構成され、ＩＤカード作成のための申請書に記載された内容を文字情報として入力するための装置である。また、登録装置２は、欠字イメージスキャナ２７を備え、コード化されていない特殊文字である欠字を手書きの欠字イメージデータとして取得する。
【００２２】
登録装置２を構成する各部については、上述したホスト１を構成する各部と略同様の構成によってなるため、対応する各部については同列の符号を付し、詳細な説明を省略する。すなわち、登録装置２は、図３に示すように、ＣＰＵ２１、表示部２２、入力部２３、通信部２４、ＲＡＭ２５、記憶部２６、欠字イメージスキャナ２７等を備えて構成される。
【００２３】
登録装置２に特徴的な構成として、ＣＰＵ２１は、入力された文字情報を所定のコードに変換し、欠字がある場合には欠字イメージデータを取得して、欠字イメージデータを含む文字情報をＩＤ番号と共にホスト１に送信する（図６参照）。なお、処理の詳細は後述する。
【００２４】
また、欠字イメージスキャナ２７は、光源、レンズ、ＣＣＤ（Charge Coupled Device）等により構成され、光源から原稿へ照明走査した光の反射光を結像して光電変換することにより、欠字の手書き原稿を画像データとして読み取る。
【００２５】
撮影装置３は、ＩＤカードを作成するために申請人の顔を撮影して顔画像を取得する装置である。また、撮影装置３は、ＩＤカード作成システム１００におけるＩＤカード作成に係る処理を統括制御する。
【００２６】
以下に、図４を参照して、撮影装置３について詳細に説明する。図４に、撮影装置３の要部構成を示す。図４に示すように、撮影装置３は、ＣＰＵ３１、カメラ３２、表示部３３、入力部３４、通信部３５、ＲＡＭ３６、ＥＥＰＲＯＭ３７、記憶部３８、光源３９等を備えて構成されている。
【００２７】
ＣＰＵ３１は、記憶部３８又はＥＥＰＲＯＭ３７に記憶されている撮影装置３に対応する各種プログラムの中から指定されたプログラム、入力部３４から入力される各種指示又はデータをＲＡＭ３６のワークエリアに展開し、この入力指示、又は入力データに応じて上記プログラムに従って各種処理を実行し、その処理結果をＲＡＭ３６の所定の領域に格納すると共に、表示部３３に表示させる。
【００２８】
具体的に、ＣＰＵ３１は、入力部３４から入力されたＩＤ番号に基づいて、ホスト１に文字情報の照会を行い、ＤＢ１ａに格納されている文字情報を取得して、ＩＤ番号及び顔画像データと共にＩＤカード作成装置４に送信する（図６参照）。なお、処理の詳細は後述する。
【００２９】
カメラ３２は、ガラス又はプラスチックからなる光学レンズ、及びＣＣＤやＣＭＯＳ等の光学センサにより構成され、光学レンズを介して入力される静止画像を光学センサで電気信号に変換して画像データを生成する。なお、カメラ３２は、動画を記録可能なデジタルビデオカメラ等により構成されていてもよい。
【００３０】
表示部３３は、ＣＲＴやＬＣＤ等によってなる表示画面を備え、ＣＰＵ３１から入力される表示信号の指示に従って入力部３４、通信部３５を介して送受信される表示データを画面上に表示する。
【００３１】
入力部３４は、カーソルキー、数字入力キー、及び各種機能キーを備えたキーボードを含み、このキーボードで押下されたキーに対応する押下信号をＣＰＵ３１に出力する。なお、入力部３４は、必要に応じてマウス、タッチパネル等のポインティングデバイスや、その他の入力装置を備えるものとしてもよい。
【００３２】
通信部３５は、ＬＡＮ、ＷＡＮ等のネットワークに接続された伝送媒体に接続可能なインターフェイスである。通信部３５は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００３３】
ＲＡＭ３６は、ＣＰＵ３１によって実行される各種プログラムやこれら各種プログラムによって処理されたデータ等を一時的に記憶するワークエリアを形成する。例えば、ＲＡＭ３６は、カメラ３２により撮影された顔画像データ、ＤＢ１ａから取得した文字情報等を一時的に記憶する。
【００３４】
ＥＥＰＲＯＭ（Electrically Erasable and Programmable Read Only Memory）３７は、電気的にデータの書きこみ、及び消去が可能な読み出し専用のメモリであり、主制御プログラムを格納する。
【００３５】
記憶部３８は、プログラムやデータ等が予め記憶されている記録媒体（図示せず）を有しており、この記録媒体は磁気的、光学的記録媒体、若しくは半導体メモリで構成されている。記憶部３８には、システムプログラム、当該システムに対応する各種処理プログラム、及び各種処理プログラムで処理されたデータ等が記憶される。
【００３６】
光源３９は、撮影装置３に備えられ、蛍光灯、ハロゲンランプ、メタルハライドランプ等により構成される。光源３９は、撮影時に被写体に対して光を照射する。
【００３７】
ＩＤカード作成装置４は、撮影装置３からＩＤカードの作成に必要なＩＤ情報、文字情報及び顔画像データを受信して、ＩＤカードのカード面にＩＤ番号、文字情報及び顔画像の印刷を行うと共に、カード内蔵メモリにＩＤ番号、文字情報及び顔画像データを記録して、ＩＤカードを作成する装置である。
【００３８】
以下に、図５を参照して、ＩＤカード作成装置４について詳細に説明する。図５に、ＩＤカード作成装置４の要部構成を示す。図５に示すように、ＩＤカード作成装置４は、ＣＰＵ４１、表示部４２、入力部４３、通信部４４、ＲＡＭ４５、記憶部４６、カードホッパー４７、プリント部４８、ＩＣ  Ｒ／Ｗ４９等から構成されている。
【００３９】
ＣＰＵ４１は、記憶部４６に記憶されているＩＤカード作成装置４に対応する各種プログラムの中から指定されたプログラム、入力部４３から入力される各種指示又はデータをＲＡＭ４５のワークエリアに展開し、この入力指示、又は入力データに応じて上記プログラムに従って各種処理を実行し、その処理結果をＲＡＭ４５の所定の領域に格納すると共に、表示部４２に表示させる。
【００４０】
具体的に、ＣＰＵ４１は、撮影装置３からＩＤ番号、文字情報及び顔画像データ等を受信してＩＤカードを作成する（図６参照）。なお、各処理の詳細は後述する。
【００４１】
表示部４２は、ＣＲＴやＬＣＤ等によってなる表示画面を備え、ＣＰＵ４１から入力される表示信号の指示に従って入力部４３、通信部４４を介して送受信される表示データを画面上に表示する。
【００４２】
入力部４３は、カーソルキー、数字入力キー、及び各種機能キーを備えたキーボードを含み、このキーボードで押下されたキーに対応する押下信号をＣＰＵ４１に出力する。なお、入力部４３は、必要に応じてマウス、タッチパネル等のポインティングデバイスや、その他の入力装置を備えるものとしてもよい。
【００４３】
通信部４４は、ＬＡＮ、ＷＡＮ等のネットワークに接続された伝送媒体に接続可能なインターフェイスである。通信部４４は、ＬＡＮケーブル等の通信回線を介して接続されたホスト１、撮影装置３との間で各種データの送受信を行う。
【００４４】
ＲＡＭ４５は、ＣＰＵ４１によって実行される各種プログラムやこれら各種プログラムによって処理されたデータ等を一時的に記憶するワークエリアを形成する。
【００４５】
記憶部４６は、プログラムやデータ等が予め記憶されている記録媒体（図示せず）を有しており、この記録媒体は磁気的、光学的記録媒体、若しくは半導体メモリで構成されている。記憶部４６には、システムプログラム、当該システムに対応する各種処理プログラム、及び各種処理プログラムで処理されたデータ等が記憶される。
【００４６】
カードホッパー４７は、紙又はプラスチック等により構成されたＩＤカードを格納するカード格納部（図示せず）を備え、ＣＰＵ４１から入力される制御信号に応じて、カード格納部に装填されているＩＤカードを取得して、プリント部４８にＩＤカードを供給する。
【００４７】
プリント部４８は、ＣＰＵ４１の制御により、ＣＭＹＫ（シアン、マゼンタ、イエロー、ブラック）のインクを昇華させて印刷する昇華型熱転写記録方式によって、ＩＤカードのカード面に顔画像を転写して出力する。また、プリント部４８は、ＣＰＵ４１の制御により、リボンに塗られた黒インクをヘッドの熱によって溶解して印刷する溶融型熱転写記録方式により、ＩＤカードのカード面にＩＤ番号及び文字情報を印刷して出力する。
【００４８】
ＩＣ  Ｒ／Ｗ４９は、半導体記憶素子を備えた記録媒体（例えば、カード内蔵メモリ）に対し、データの記録、消去、及び読み取りを行う装置である。ＩＣ  Ｒ／Ｗ４９は、ＣＰＵ４１の制御により、ＩＤ番号、文字情報及び顔画像データをＩＣカードに内蔵されるデータメモリに記録する。
【００４９】
次に、本実施の形態の動作を説明する。
動作説明の前提として、以下のフローチャートに記述されている各処理を実現するためのプログラムは、コンピュータが読み取り可能なプログラムコードの形態で各装置の記憶部１６，２６，３８，４６に格納されており、ＣＰＵ１１，２１，３１，４１は、当該プログラムコードに従った動作を逐次実行する。
【００５０】
まず、図６を参照して、ホスト１、登録装置２、撮影装置３、ＩＤカード作成装置４により実行されるＩＤカード作成処理について説明する。図６は、各装置により実行されるＩＤカード作成処理の梯子チャートである。
【００５１】
図６に示すように、登録装置２において、申請書の内容として、ＩＤ番号、文字情報等が入力されると（ステップＳ１）、入力された文字情報は文字コードデータに変換される。例えば、シフトＪＩＳコードを用いて申請人の氏名「日本太郎」をコード変換する場合、「日」は「93FA」、「本」は「967B」、「太」は「91BE」、「郎」は「9859」にそれぞれ変換される。つまり、「日本太郎」は、「93FA967B91BE9859」に変換される。また、「太」がコード化されていない欠字であった場合には、「91BE」の代わりに欠字であることを示す欠字コードが挿入され、欠字イメージスキャナ２７により、欠字イメージデータが取得される。
【００５２】
次に、ＩＤ番号とコード化された文字情報（欠字イメージデータを含む）とが対応付けられて、登録装置２からホスト１に送信される（ステップＳ２）。
【００５３】
なお、本実施の形態においては、新規にＩＤカードを作成する場合を例として説明を行うが、ＩＤカードを更新する場合についても適用可能である。例えば、ＩＤカードの更新を行う際は、登録装置２は、ＩＤ番号、更新情報、更新日付等を対応付けてホスト１に送信し、ＤＢ１ａに登録させる。
【００５４】
ホスト１により、登録装置２からＩＤ番号及び文字情報（欠字イメージデータを含む）が受信されると、ＩＤ番号及び文字情報はＤＢ１ａに格納される（ステップＳ３）。
【００５５】
図７に、ＤＢ１ａに記憶されている文字情報のデータ構成例を示す。図７に示すように、文字情報は、氏名、住所等の表記項目毎の文字コードデータと欠字イメージデータとから構成されている。文字コードデータ中の欠字の位置には、欠字コードが挿入されている。文字情報には、表記項目単位で予め優先順位が設定されている。この優先順位に対応する順序で欠字イメージデータが記憶されている。欠字イメージデータは、欠字であることを示す識別子、データサイズ情報、圧縮されたイメージデータから構成される。
【００５６】
図６に戻り、撮影装置３の入力部３４を介してＩＤ番号が入力されると（ステップＳ４）、ホスト１にＩＤ番号が送信される（ステップＳ５）。そして、ホスト１により、受信したＩＤ番号に対応する文字情報がＤＢ１ａから検索され（ステップＳ６）、ＤＢ１ａから取得された文字情報が撮影装置３に送信される（ステップＳ７）。
【００５７】
一方、撮影装置３により、ＩＤ番号をホスト１へ送信する処理と並行して（ステップＳ５）、申請者の顔画像の撮影が行われる（ステップＳ８）。その後、撮影装置３により、ホスト１から文字情報が受信され、ＩＤ番号、文字情報及び顔画像データが対応付けられて、記憶部３８に格納される（ステップＳ９）。
【００５８】
そして、顔画像データが撮影装置３からホスト１に送信される（ステップＳ１０）。ホスト１により、顔画像データはＩＤ番号及び文字情報と対応付けられてＤＢ１ａに格納される（ステップＳ１１）。
【００５９】
次に、撮影装置３からＩＤ番号、文字情報及び顔画像データがＩＤカード作成装置４に送信される（ステップＳ１２）。そして、ＩＤカード作成装置４により、後述するＩＤカード発行処理が実行される（ステップＳ１３）。
【００６０】
図８を参照して、ＩＤカード作成装置４により実行されるＩＤカード発行処理について説明する。図８は、ＩＤカード発行処理を示すフローチャートである。
図８に示すように、まず、撮影装置３からＩＤ番号、文字情報及び顔画像データが取得され、記憶部４６に記憶される（ステップＳ２１）。
【００６１】
次に、文字情報に欠字が含まれる場合、文字情報の表記項目の優先順位に基づいて、文字情報に含まれる欠字コードの位置に、欠字イメージデータが挿入される（ステップＳ２２）。例えば、図９に示すように、項目Ａ、項目Ｂ、項目Ｃの文字情報に対して優先順位が２、１、３と予め設定されている場合について説明する。優先順位１の項目Ｂの文字コードデータ中の１番目の欠字コードの位置に、１番目の欠字イメージデータが挿入される。そして、項目Ｂの文字コードデータ中の２番目の欠字コードの位置に、２番目の欠字イメージデータが挿入される。次に、優先順位２の項目Ａの文字コードデータ中の欠字コードの位置に、３番目の欠字イメージデータが挿入され、優先順位３の項目Ｃの文字コードデータ中の欠字コードの位置に、４番目の欠字イメージデータが挿入される。
【００６２】
そして、ＩＤ番号、欠字イメージデータが挿入された文字情報、及び顔画像データに基づいて、プリント部４８にて、ＩＤカードのカード面にＩＤ番号、文字情報及び顔画像の印刷が行われる（ステップＳ２３）。
【００６３】
続いて、ＩＣ  Ｒ／Ｗ４９にて、記憶部４６に記憶されているＩＤ番号、文字情報及び顔画像データがカード内蔵メモリに記録される（ステップＳ２４）。ここで、ＩＤカードに格納されるカード内蔵メモリのデータ容量は２ＫＢ程度であるため、顔画像データに間引き処理やＪＰＥＧ、ＪＰＥＧ２０００等の圧縮処理が施された後にカード内蔵メモリに記録される。
【００６４】
以上のように、本実施の形態におけるＩＤカード作成システム１００によれば、欠字イメージデータを、文字情報の表記項目単位で設定された優先順位に対応する順序で記憶するので、従来のように、欠字イメージデータに加えて欠字が含まれる項目情報及び位置情報を記憶する場合と比較して、データ量を削減することができる。したがって、ＩＤカード作成システム１００における処理速度が上がり、効率良くＩＤカードを作成することができる。
【００６５】
また、文字情報を印刷する際に、優先順位に基づいて、文字情報に含まれる欠字コードの位置に、欠字イメージデータを挿入すればよいので、カード面における各表記項目の配置に変更が生じた場合にも対応可能である。
【００６６】
なお、上述した本実施の形態における記述は、本発明に係る好適なＩＤカード作成システムの一例であり、これに限定されるものではない。例えば、撮影装置３からＩＤカード作成装置４へ送信される文字情報が、カード面に印刷を行うための印刷データとカード内蔵メモリに記録するための記録データとに分けて送信される構成であってもよい。具体的には、印刷データには、カードの見栄えを良くするために文字の間にスペースを示すコードが含まれている場合が考えられる。
【００６７】
また、撮影装置３又はＩＤカード作成装置４において処理が実行される際に、それぞれの表示部３３，４２に文字情報や顔画像が表示されることとしてもよい。この場合にも、文字情報の表記項目の優先順位に基づいて、文字情報に含まれる欠字コードの位置に、欠字イメージデータを順に挿入することにより、適切な表示を行うことができる。
【００６８】
その他、本実施の形態におけるＩＤカード作成システム１００を構成する各装置、構成部分の細部構成、及び細部動作に関しても、本発明の趣旨を逸脱することのない範囲で適宜変更可能である。
【図面の簡単な説明】
【００６９】
【図１】本発明を適用した実施の形態におけるＩＤカード作成システム１００のシステム構成を示す図である。
【図２】ホスト１の要部構成を示すブロック図である。
【図３】登録装置２の要部構成を示すブロック図である。
【図４】撮影装置３の要部構成を示すブロック図である。
【図５】ＩＤカード作成装置４の要部構成を示すブロック図である。
【図６】ホスト１、登録装置２、撮影装置３、ＩＤカード作成装置４により実行されるＩＤカード作成処理を示す梯子チャートである。
【図７】文字情報のデータ構成例を示す図である。
【図８】ＩＤカード作成装置４により実行されるＩＤカード発行処理を示すフローチャートである。
【図９】文字情報に欠字イメージデータを挿入する手順を示す図である。
【符号の説明】
【００７０】
１００  ＩＤカード作成システム
１  ホスト
１ａ  ＤＢ
２  登録装置
２７  欠字イメージスキャナ
３  撮影装置
４  ＩＤカード作成装置
Ｎ  ネットワーク
【図１】
2006119977.tif 000003
【図２】
2006119977.tif 000004
【図３】
2006119977.tif 000005
【図４】
2006119977.tif 000006
【図５】
2006119977.tif 000007
【図６】
2006119977.tif 000008
【図７】
2006119977.tif 000009
【図８】
2006119977.tif 000010
【図９】
2006119977.tif 000011